(57)【要約】      （修正有）【課題】新種の印刷機制御システムを提供する。【解決手段】印刷原稿のための支持台１１と、支持台１１の前縁部１４に沿って移動可能な、データを表示するための表示要素１３と、支持台１１に対する表示要素１３の相対位置を検出するための少なくとも１つのセンサと、を備え、表示要素１３はデータの表示及び入力のための、一体型の表示兼操作要素１３として形成され、センサは、表示兼操作要素の移動方向における、表示兼操作要素１３又は表示兼操作要素と共に移動可能なアセンブリの、支持台１１の側部又は支持台１１を収容するハウジングに対する側方距離を検出し、表示兼操作要素１３に表示可能及び入力可能なデータを、１つの、又は各センサにより検出された、支持台１１に対する表示要素の相対位置に、自動的に適合させることが可能である印刷機制御システム。【選択図】図１
2013230679.tif 000002
【特許請求の範囲】
【請求項１】
印刷原稿、特に印刷用紙又は印刷された印刷材料ウェブの一部分のための支持台（１１）と、
前記支持台（１１）の前縁部（１４）に沿って移動可能な、データを表示するための表示要素（１３）と、
前記支持台（１１）に対する前記表示要素（１３）の相対位置を検出するための少なくとも１つのセンサ（１５）と、を備えた印刷機制御システムであって、
前記表示要素（１３）はデータの表示及び入力のための、一体型の表示兼操作要素（１３）として形成され、
前記表示兼操作要素（１３）又は前記表示兼操作要素（１３）と共に移動可能なアセンブリ（１８）、又は、前記支持台（１１）又は前記支持台（１１）を収容するハウジングのいずれか一方に対して、少なくとも１つのセンサ（１５）が設けられ、
前記センサは、前記表示兼操作要素（１３）の移動方向における、前記表示兼操作要素（１３）又は前記表示兼操作要素（１３）と共に移動可能な前記アセンブリ（１８）の、前記支持台（１１）の側部（１６）又は前記支持台（１１）を収容する前記ハウジングに対する側方距離を検出し、
前記表示兼操作要素（１３）に表示及び入力可能なデータを、前記１つの、又は各センサにより検出された、前記支持台（１１）に対する前記表示要素（１３）の相対位置に、自動的に適合させることが可能であることを特徴とする印刷機制御システム。
【請求項２】
前記表示兼操作要素（１３）又は前記表示兼操作要素（１３）と共に移動可能な前記アセンブリ（１８）、又は、前記支持台（１１）又は前記支持台（１１）を収容する前記ハウジングのいずれか一方に対して、いずれの場合も２つのセンサ（１５）が設けられ、
第１センサで移動方向における距離を検出し、第２センサでそれに対応する前記移動方向の反対方向への距離を検出することを特徴とする請求項１に記載の印刷機制御システム。
【請求項３】
前記１つの、又は各センサ（１５）は、レーザーセンサとして形成されていることを特徴とする請求項１又は２に記載の印刷機制御システム。
【請求項４】
前記１つの、又は各センサ（１５）は、ポテンショメータ、特にワイヤポテンショメータとして形成されていることを特徴とする請求項１又は２に記載の印刷機制御システム。
【請求項５】
前記表示兼操作要素（１３）は、マルチタッチスクリーンとして形成されていることを特徴とする請求項１から４のいずれか一項に記載の印刷機制御システム。
【請求項６】
少なくとも１つのソフトプルーフ画面（１９）を備え、前記１つの、又は各ソフトプルーフ画面（１９）は、前記前縁部（１４）に対向する前記支持台（１１）の後縁部（２０）に沿って、前記支持台（１１）に対する前記表示兼操作要素（１３）の相対位置に合わせて自動的に移動可能となるように、前記支持台（１１）の前記前縁部（１４）に対向する、前記支持台（１１）の後縁部（２０）に配置されていることを特徴とする請求項１から５のいずれか一項に記載の印刷機制御システム。
【請求項７】
前記１つの、又は各ソフトプルーフ画面（１９）は、前記表示兼操作要素（１３）の移動の後、前記表示兼操作要素（１３）がその相対位置を所定時間変化させない場合に、前記１つの、又は各ソフトプルーフ画面（１９）が移動可能となるように、前記支持台（１１）に対する前記表示兼操作要素（１３）の相対位置に合わせて、全自動的に移動可能であることを特徴とする請求項６に記載の印刷機制御システム。
【請求項８】
前記１つの、又は各ソフトプルーフ画面（１９）は、前記表示兼操作要素（１３）の移動の後、操作者側で解除ボタン又は解除スイッチが押された場合、前記１つの、又は各ソフトプルーフ画面（１９）が移動可能となるように、前記支持台（１１）に対する前記表示兼操作要素（１３）の相対位置に合わせて、半自動的に移動可能であることを特徴とする請求項６に記載の印刷機制御システム。
【発明の詳細な説明】
【技術分野】
【０００１】
本発明は、請求項１のプリアンブルによる印刷機制御システムに関する。
【背景技術】
【０００２】
特許文献１より、印刷原稿を受けるための支持台が設けられた印刷機制御システムが知られている。この従来技術から知られる制御システムは、さらに、キーボード及びモニターで構成された表示兼操作要素を備え、この表示兼操作要素は、支持台に対して相対位置に固定されている。特許文献１による制御システムは、さらに、支持台の前方又は操作者側の縁部に沿って、支持台に対して移動可能なディスプレイとして具現化された表示要素を備えている。このディスプレイが移動可能に取り付けられているガイドレールには、ディスプレイの相対位置を検出するための位置センサが設けられている。特許文献１による制御システムでは、キーボードとディスプレイを備えた個別の表示兼操作要素を省略することができない。また、支持台に対するディスプレイの相対位置の位置検出が、ガイドレールの位置センサのラスターに左右されるため、支持台に対するディスプレイの相対位置を不正確にしか測定することができないという欠点もある。
【０００３】
さらなる印刷機制御システムが、特許文献２より知られている。この印刷機制御システムでは、表示兼制御装置がマルチタッチスクリーンで形成されている。
【先行技術文献】
【特許文献】
【０００４】
【特許文献１】欧州特許第１３８１５１４Ｂ１号
【特許文献２】ドイツ国特許第１０２０１００３３７４０Ａ１号
【発明の概要】
【発明が解決しようとする課題】
【０００５】
上記の背景から、本発明は新種の印刷機制御システムを提供することを課題とする。この課題は請求項１による印刷機制御システムにより解決される。
【課題を解決するための手段】
【０００６】
本発明によれば、表示要素は、データの表示及び入力のための一体型の表示兼操作要素として形成され、表示兼操作要素又は表示兼操作要素と共に移動可能なアセンブリ、又は、支持台又は支持台を収容するハウジングのいずれか一方に対して、少なくとも１つのセンサが設けられ、このセンサは、表示兼操作要素の移動方向における、表示兼操作要素又は表示兼操作要素と共に移動可能なアセンブリの、支持台の側部又は支持台を収容するハウジングに対する側方距離を検出し、表示兼操作要素に表示及び入力可能なデータを、１つの、又は各センサにより検出された、支持台に対する表示要素の相対位置に、自動的に適合させることが可能である。
【０００７】
本発明による印刷機制御システムは、表示兼操作要素を印刷機制御システムの支持台に対して走行可能に構成し、表示兼操作要素の位置を少なくとも１つのセンサで検出することを新規に提案するものである。表示兼操作要素の移動方向における、表示兼操作要素の、支持台又は支持台を収容するハウジングに対する側方距離を検出するために、表示兼操作要素又は表示兼操作要素と共に移動可能なアセンブリ、又は、支持台又は支持台を収容するハウジングのいずれか一方にセンサが設けられている。これにより、表示可能なデータだけではなく入力可能なデータをも、１つの、又は各センサによって検出された支持台に対する表示兼操作要素の相対位置に、自動的に適合させることが可能になる。その際、この相対位置を所望の高分解能で検出することができるため、各相対位置に正確に一致したデータを表示兼操作要素に表示及び入力することができる。
【０００８】
好ましくは、表示兼操作要素又は表示兼操作要素と共に移動可能なアセンブリ、又は、支持台又は支持台を収容するハウジングのいずれか一方に対して、いずれの場合も２つのセンサが設けられ、第１センサで、表示兼操作要素の移動方向における上記の側方距離を検出し、第２センサで、それに対応する表示兼操作要素の移動方向の反対方向への側方距離を検出する。従って、両センサから与えられる測定信号の比較により、表示兼操作要素の測定された相対位置を妥当性確認又は検証することが可能になる。これにより、センサの機能に関して、自動的な機能監視及びエラー検出を行うことができる。
【０００９】
本発明の有利な発展形態によれば、表示兼操作要素は、マルチタッチスクリーンとして形成されている。表示兼操作要素をマルチタッチスクリーンとして具現化することは特に好ましく、それにより特に有利なデータの表示及び入力、マルチタッチスクリーンの入力及び表示オプションが利用可能になる。
【００１０】
本発明のさらなる有利な発展形態によれば、印刷機制御システムは、少なくとも１つのソフトプルーフ画面を備え、この１つの、又は各ソフトプルーフ画面は、支持台の操作者側の縁部に対向する支持台の縁部に沿って、支持台に対する表示兼操作要素の相対位置に合わせて、自動的に移動可能となるように、支持台の操作者側の縁部に対向する支持台の縁部に配置されている。このように、１つの、又は各ソフトプルーフ画面の位置を、支持台に対する表示兼操作要素の相対位置に自動的に合わせることができる場合、印刷制御システムの操作において特に有利である。
【００１１】
本発明の好ましい発展形態は、従属請求項及び以下の説明により明らかとなる。本発明の実施例を、これに限定するものではないが、以下の図面に基づいて詳細に説明する。
【図面の簡単な説明】
【００１２】
【図１】本発明に係る第１の印刷機制御システムを示す概略斜視図である。
【図２】図１の制御システムの一部分を示す図である。
【図３】図１の制御システムの詳細を示す図である。
【図４】図１の制御システムの表示兼操作要素の可能な表示を示す図である。
【図５】図１の制御システムの表示兼操作要素のさらなる可能な表示を示す図である。
【図６】図１の制御システムの表示兼操作要素のさらなる可能な表示を示す図である。
【図７】本発明に係る第２の印刷機制御システムを示す概略斜視図である。
【発明を実施するための形態】
【００１３】
本発明は、印刷機の印刷機制御システムに関する。
【００１４】
図１は、本発明に係る印刷機制御システム１０の好適な実施例を示す斜視図である。この印刷機制御システム１０は、印刷原稿、特に印刷された印刷用紙、又は印刷された印刷材料ウェブの一部分のための支持台１１を備えている。図２は、印刷機制御システム１０の一部分を表わしており、図１に表わす支持台１１上に印刷原稿１２が載置された状態を示している。
【００１５】
本発明に係る印刷機制御システム１０は、支持台１１の前方又は操作者側の縁部１４に沿って支持台１１に対して移動可能とされる、表示兼操作要素１３を備えている。支持台１１に対して移動可能とされる表示兼操作要素１３は、データを表示及び入力可能なマルチタッチスクリーンであることが好ましい。表示兼操作要素１３については、図４〜図６を参照して後に詳述する。
【００１６】
支持台１１に対する表示兼操作要素１３の位置は、部分図である図３に表わす少なくとも１つのセンサ１５によって検出可能とされる。センサ１５を利用することによって、表示兼操作要素１３の移動方向における、表示兼操作要素１３と、支持台１１の側部１６又は支持台１１を収容するハウジングとの間における側方距離を検出することができる。図３では、センサ１５は、レーザー光１７を放射するレーザーセンサとして形成されており、印刷機制御システム１０の支持台１１に対する表示兼操作要素１３の相対位置を確定するために、レーザー光１７が、表示兼操作要素１３と共に移動可能なアセンブリ１８に当たって反射する。
【００１７】
図示の実施例では、支持台１１又は支持台１１を支持する印刷機制御システム１０のハウジングにセンサ１５が設けられている。しかしながら、図示の実施例とは異なり、表示兼操作要素１３又は表示兼操作要素１３と共に移動可能なアセンブリ１８にセンサ１５を配置し、センサ１５から与えられる測定信号を利用することによって、表示兼操作要素１３又は表示兼操作要素１３と共に移動可能なアセンブリ１８の、支持台１１の側部１６又は支持台１１を収容する印刷機制御システムのハウジングの対応部分に対する側方距離を検出することも可能である。
【００１８】
本発明の好ましい変形例では、表示兼操作要素１３若しくは表示兼操作要素１３と共に移動可能なアセンブリ１８、又は、支持台１１若しくは支持台１１を収容する印刷機制御システムのハウジングのいずれか一方に対して、いずれの場合も２つのセンサ１５が設けられており、第１のセンサ１５によって移動方向における上記の両者間の距離を検出し、第２のセンサ１５によって当該距離に対応する表示兼操作要素１３の移動方向の反対方向への距離を検出し、これら距離両方の測定信号を比較することによって、センサ１５の機能の妥当性を確認及び検証することができる。これにより、両センサの相互の機能監視及びエラーの自動検出を実現することができる。
【００１９】
センサ１５としてレーザーセンサを使用することが好ましい。しかしながら、例えばポテンショメータ、特にワイヤポテンショメータのような他の距離測定用センサを利用することもできる。ポテンショメータの場合には、表示兼操作要素１３の変位に比例して変化する電気抵抗を利用することによって位置検出が行われる。ワイヤポテンショメータの場合には、表示兼操作要素１３の変位と共に巻き取られる又は繰り出される、ワイヤの繰り出し長さに比例して電気抵抗が変化する。
【００２０】
本発明に係る印刷機制御システム１０はさらに、支持台１１の前方の操作者側の縁部１４に対向する後縁部２０に沿って、つまり、支持台１１の操作者側の縁部１４に対向する縁部２０に沿って延在する制御システム１０の背面壁２１に平行に移動可能である、少なくとも１つのソフトプルーフ画面１９を備えている。１つの、又は各ソフトプルーフ画面１９は、操作者側の縁部１４に対向する縁部２０に沿って、支持台１１に対する表示兼操作要素１３の相対位置に合わせて自動的に、詳しくは全自動的又は半自動的に移動可能である。
【００２１】
１つのソフトプルーフ画面１９又はソフトプルーフ画面１９それぞれを表示兼操作要素１３の相対位置に合わせて支持台１１に対して全自動的に移動させる場合には、表示兼操作要素１３が移動された後に、表示兼操作要素１３が所定時間静止し、その後にその相対位置に変化がなければ、１つのソフトプルーフ画面１９又はソフトプルーフ画面１９それぞれを支持台１１に対する表示兼操作要素１３の相対位置に合わせて自動的に移動させるように、少なくとも１つのソフトプルーフ画面１９が自動的に移動される。一方、１つのソフトプルーフ画面１９又はソフトプルーフ画面１９それぞれを半自動的に移動させる場合には、表示兼操作要素１３が移動された後に、操作者が解除ボタン又は解除スイッチを押せば、ソフトプルーフ画面を支持台１１に対して、すなわち支持台１１に対する表示兼操作要素１３の相対位置に合わせて自動的に移動させることができる。
【００２２】
図１及び図２は、支持台１１に対する表示兼操作要素１３の相対位置に合わせて自動的に移動可能な、単一のソフトプルーフ画面１９を具備する本発明に係る印刷機制御システム１０の実施例を表わす。図７は、２つのソフトプルーフ画面１９を具備する実施例を表わし、図７において、これらソフトプルーフ画面１９は制御システム１０の背面壁２１に固定されており、移動することができない。しかしながら、当該実施例とは異なり、２つソフトプルーフ画面１９を支持台１１に対する表示兼操作要素１３の相対位置に合わせて自動的に移動させることもできる。
【００２３】
上述の通り、支持台１１に対して移動可能な表示兼操作要素１３は、マルチタッチスクリーンである。マルチタッチスクリーン上において、その支持台１１に対する相対位置に合わせてデータを表示及び入力可能とされ、表示兼操作要素１３又はマルチタッチスクリーンに表示及び／又は入力可能なデータは、支持台１１に対する表示兼操作要素１３の相対位置に自動的に適用される。
【００２４】
図２は、このことを支持台１１に置かれた印刷原稿１２の斜線領域２２により図式化して示している。支持台１１に対する表示兼操作要素１３の位置及びその後に支持台１１に置かれた印刷原稿１２に対する表示兼操作要素１３の位置に適合する領域２２について、印刷関連データを表示兼操作要素１３上に表示可能であると共に、表示兼操作要素１３によって領域２２に対応するデータを入力可能である。
【００２５】
図４は、このような印刷原稿１２の領域２２のための、表示兼操作要素１３の第１の表示を示している。図４の部分領域ａには、印刷原稿１２の領域２２に割り当てられた色区域設定要素の実際の設定パラメータが表示されている。部分領域ａの実際の設定パラメータは、印刷された印刷インキに該当し、プロセスカラーそれぞれについて、対応する領域２２の色区域設定要素の設定パラメータを部分領域ａにおいて表示し、必要に応じて変更するために、図４の表示の部分領域ｂの対応するソフトキーにタッチすることによって、４つのプロセスカラー、マゼンタ（Ｍ）、シアン（Ｃ）、イエロー（Ｙ）、及びブラック（Ｂ）の間において切替可能とされる。部分領域ａでは、色区域設定要素の代わりに、湿し設定要素の設定パラメータを表示しており、必要に応じて変更可能とされる。図４の表示の部分領域ｃでは、部分領域ｂにおいて選択されたプロセスカラーについて、印刷原稿１２の全面に関する色区域設定要素の設定パラメータが、表示兼操作要素１３上に縮小表示される。図４の表示の部分領域ｄでは、印刷ページ２及び３が示されているが、これらは支持台１１上に置かれた印刷原稿１２に対応する印刷ページ２及び３である。ここで、部分領域ｄ内に斜線で示された部分領域ｈは、印刷原稿１２の領域２２に対応しており、印刷関連の処理パラメータは、部分領域ａにおいて、支持台１１に対する表示兼操作要素１３の相対位置に応じて表示及び／又は設定可能とされる。
【００２６】
上述の通り、表示兼操作要素１３はマルチタッチスクリーンであり、タッチ、タップ、ドラッグ、又はスワイプに加えて、縮小動作及び拡張動作によって、表示の変更及びデータの入力が可能とされる。従って、例えば部分領域ａのセグメントそれぞれにタッチし、当該セグメントにタッチした状態で上方又は下方にドラッグすることによって、設定パラメータを対応する色区域設定要素に適合させることができる。部分領域ｄでは、スワイプ動作によって、個々の印刷ページを切り替えることができる。部分領域ａ及び／又は部分領域ｄでは、２本の指を互いに近づける縮小動作又は２本の指を互いから離す拡張動作によって、表示スケールを縮小又は拡大することができる。
【００２７】
図５による表示兼操作要素１３の表示例では、部分領域ｄには、実際に支持台１１上に置かれた印刷用紙の印刷ページ（ここでは印刷ページ６及び７）だけではなく、むしろそれに加えて、印刷された新聞印刷物の、隣接する他の印刷用紙の印刷ページ組が表示されており、部分領域ｄでのスワイプ動作により、個々の印刷ページ組を切り替えることができる。その都度選択された印刷ページ組は、部分領域ｄ内の中央のセグメントに、他の印刷ページ組と比較して拡大されて表示される。上述のように、スワイプ又はドラッグによって、印刷ページ組それぞれを切り替えることができる。図５では、支持台１１上に置かれた印刷原稿に対応する、実際に選択された印刷ページ組に対して、部分領域ｈが斜線により強調表示される。この部分領域ｈに関して、部分領域ｂで選択されたプロセスカラーの色区域設定要素の設定パラメータが部分領域ａに表示される。部分領域ｃでは、全印刷ページ組又は全印刷原稿に関して、部分領域ｂで対応して選択されたプロセスカラーの全色区域設定要素の全設定パラメータが表示される。
【００２８】
図６は、表示兼操作要素１３の表示のさらなる代替例を図示している。図４及び図５の変形例とは異なり、部分領域ｄには、印刷ページ又は印刷ページ組ではなく、むしろ印刷用紙それぞれの表面及び裏面が表示されている。このような表示は、特に商業用印刷機において有利である。
【００２９】
図４及び図５に表わす内容とは異なり、製品ページ又は印刷用紙の表面及び裏面に応じて、特に表示兼操作要素１３上のその都度の表示の部分領域ｄにおいて、物理的な、機械関連の表示及び選択を行うこともできる。つまり、選択された印字ユニットに対応する設定パラメータを、部分領域ａにおいて表示及び／又は変更するために、個々の印刷機集合体、例えば印刷機の印字ユニットを表示し、それをタップ又は所定位置へドラッグすることにより選択することができる。
【００３０】
上述の通り、表示兼操作要素は、好ましくはマルチタッチスクリーンであり、タップ、ダブルタップ、ドラッグ、及びスワイプのような、慣習的に知られている全てのマルチタッチスクリーンの入力オプションを利用することができる。さらに、特に部分領域ａにおいて、複数の集合体の同時操作、又は複数の設定要素のパラメータの同時入力を、互いに独立して行うことができる。
【符号の説明】
【００３１】
１０  印刷機制御システム
１１  支持台
１２  印刷原稿
１３  表示兼操作要素
１４  前縁部
１５  センサ
１６  側部
１７  レーザー光
１８  アセンブリ
１９  ソフトプルーフ画面
２０  後縁部
２１  背面壁
２２  領域
【図１】
2013230679.tif 000003
【図２】
2013230679.tif 000004
【図３】
2013230679.tif 000005
【図４】
2013230679.tif 000006
【図５】
2013230679.tif 000007
【図６】
2013230679.tif 000008
【図７】
2013230679.tif 000009
【外国語明細書】
2013230679000001.pdf